(57)【特許請求の範囲】
【請求項１】
全方向リフクタとヘリウムガスを内蔵する立方体状バルーンにおいて、該バルーンの一つの稜におけるその長さ方向の中央に糸条の先端を結合し、その稜と相対する他の稜とを含む該バルーンにおける一つの正方形の外表面に、扁平な筒状吹流しの先端開口部の周縁の一部分を結合し、またその筒状吹流しの後端開口部を該他の稜より後方に延長して自由端とし、さらに前記筒状吹流しの先端開口部を該糸条の結合部に向けて配置すること特徴とする遭難位置の表示装置
【請求項２】
互いに直交して他を中心線で２分する三枚の正方形の可撓性反射板の各周縁を立方体状の可撓性バルーンの内側面に接合し、その可撓性バルーンの中にヘリウムガスを充填し、同立方体状可撓性バルーンの一つの稜の中心部に糸条の先端を結合し、該一つの稜を含む可撓性バルーンの正方形の面に偏平な筒状の吹き流しの先端開口部周縁の一部を結合して、その先端開口部を前記糸条の先端の結合部に向けて配置し、また該筒状の吹き流しの後端開口部を該可撓性バルーンの正方形の面の外方まで延長して自由端とし、前記糸条の先端の結合部、筒状の吹き流しの先端開口部、及び後端開口部を略同一直線上に配置することを特徴とする遭難位置の表示装置。
【発明の詳細な説明】
【０００１】
【発明の属する技術分野】
この発明は、海上、山岳等の不特定な広範囲の何処かで遭難が発生した場合、その遭難者の位置を遠く離れている場所の救助者から発見できるようにするための遭難位置表示装置に関する。
【０００２】
【従来の技術】
従来のこの種の表示装置は、本発明者が先に発明した特許第２９３１９５９号に示す如く、遭難者が救助を求める際、その遭難者が予め携帯している電波反射器を内蔵した糸条つきのバルーンにヘリウムガスを圧入してバルーンを膨張し、その糸条の基端を遭難者が持ち、先端のバルーンをその浮力により空中に高く浮揚してその位置を表示し、そこから遠く離れている場所の救助者側から放射するレーダーの電波を該電波反射器に反射させてそれを受信し、その際の受信した電波から遭難者の方向と位置を求めて、遭難者の場所を探すものである。
【０００３】
その装置は、遭難現場に風がないときは、バルーンの浮力によって遭難者の真上に上昇するため、糸条の長さと同じ高さに上昇するので、遠く離れている場所の救助側から放射する電波がこれに当たってよく反射して発見され易いが、風が吹いていると、バルーンはその風の方向に押されるので、そのバルーンに結着されている糸条の他端、即ち遭難者が持っている糸条の基端部を中心にして、糸条の長さに等しい半径の円弧を画きながら下降してしまう。
【０００４】
この下降する際の下向きの力と、前記バルーン内のヘリウムガスと外気の比重の差によって生ずる上向きの浮力が等しくなると、その高さで停止するが、風速が増加し、それに比例して前述の下向きの力が前記バルーンの浮力と比較して大きくなると、バルーンの高さはほとんど零に近づくほど低下する。
【０００５】
この高さでは、救助側から放射する電波及びその反射波が中間の障害物に妨害されて、該バルーン及び救助側のレーダーに届かなくなり、その結果遭難位置表示装置としての機能をしなくなる。
【０００６】
【発明が解決しようとする課題】
この発明の目的は、前記電波反射器を内蔵したバルーンをその浮力によって上昇する際、その遭難現場の風速が増大しても、該バルーンの高さを救助者側から放射する電波が届かない程の高さになるまで低下しないようにすることである。
【０００７】
他の目的は、遭難現場における風速を利用して、バルーンに前記浮力以外の上向きの力を発生させてバルーンの高さを保持し、救助者側から発見され易いようにすることである。
【０００８】
【課題を解決するための手段】
この発明の遭難位置表示装置は、全方向リフレクタとヘリウムガスを内蔵する立方体状バルーンにおいて、該バルーンの一つの稜の長さの中央に糸条の先端を結合し、その稜を含む該バルーンの一つの正方形の外表面に偏平な筒状吹き流しの先端開口部の周縁の一部分を結合し、後端開口部を自由端とし、前記筒状吹き流しの先端開口部を該糸条の結合部に向けて配置するものである。
【０００９】
【発明の実施の形態】
前記特許第２９３１９５９号の発明を改良するために種々実験を重ねて研究した結果得られたものであって、図面に示す如く、互いに直交して他を中心線Ｃで２分する三枚の正方形の可撓性反射板Ｘ、Ｙ、Ｚからなる全方向リフレクタ１の外周縁Ｘａ、Ｙａ、Ｚａを立方体状の可撓性バルーン３の内側面に溶着１１し、その可撓性バルーン３の中にヘリウムガス４を充填し、同立方体状可撓性バルーン３の一つの稜５の中心部に糸条６の先端を結合７し、該稜５を含む可撓性バルーン３の一つの正方形の面３ｂに偏平な筒状の吹き流し８の先端開口部９の周縁の一部９ａを結合し、後端開口部１０を該正方形の面３ｂの外方まで延長して自由端とし、前記糸条６の先端の結合部７、筒状の吹き流し８の先端開口部９及び後端開口部１０を順次略同一直線状に配置する遭難位置表示装置である。
【００１０】
上記バルーン３の各稜５の長さは、約４５ｃｍとし、またそれを構成する材料は図３に示す如く、厚さｔ１が１０μｍのエチレン・ビニールアルコール共重合樹脂シート（エバール（登録商標））１２の内面に、厚さｔ２が１５μｍのポリエチレン層１３を重合して形成したものが用いられる。
【００１１】
またそのバルーン３に内蔵する全方向リフレクタ１は、同３図に示す如く、厚さｔ３が１０μｍのエチレン・ビニールアルコール共重合樹脂シート１４（エバール）に厚さｔ４が１５μｍのポリエステル層１５を重合して形成し、その表面に厚さｔ５が４００オングストロームのアルミ蒸着層１６を重ね合わせて形成する。
【００１２】
その、全方向リクレクタ１を構成する各正方形の反射板Ｘ，Ｙ，Ｚによって、バルーン３内を８個の反射室に分割し、その各反射板Ｘ，Ｙ，Ｚに各反射室相互間を連通するガス連通孔１７を形成し、ガス供給孔１８から圧入するヘリウムガスを各反射室内に、その圧力が同じになるように供給することができるようになっている。
【００１３】
さらに、バルーン３の外側を補強綱２２で図１の如く縦横に縛着し、前記稜５と交差する位置の補強綱２２に糸条６の先端を結合して、その結合部７の強度を高めている。
【００１４】
各反射板Ｘ，Ｙ，Ｚの夫々の外周縁Ｘａ，Ｙａ，Ｚａを立方体状バルーン３の内面に結合する部分の構造は、図３に示す如く、バルーン３の内面にリフレクタ１の反射板Ｙの外周縁Ｙａを突き当てた状態で、バルーン３を構成するポリエチレン層１３の平面とポリエステル層１５の外周縁とを加熱溶着し、それらの相互間に溶着層１１を形成する。
【００１５】
吹き流し８は、図１に示す如く、バルーン３の各稜５の長さを４５ｃｍとした場合の、そのバルーン３と同一材料で形成した先端開口部９の直径９φが２０ｃｍ、後端開口部１０の直径１０φが前端のそれと同一の２０ｃｍで、長さ１２０ｃｍに形成して、それを図２に示す如くバルーン３の一つの稜５と相対する他の稜５ａとを含む正方形の平面における各稜５，５ａの中程に、かつその吹き流し８の長さ方向が各稜５，５ａと直交する方向に溶着２１ａ、２１ｂする。
【００１６】
この発明の表示装置を用いて遭難者が救助を求める際は、予めバルーン３内から空気等のガスを排出して折り畳んだ状態で、例えば図５に示す如くライフジャケット２０のポケット２０ａ内に収容して携帯しているものを、そこから取り出して、図１に示す表示装置の糸条６の基端６ａを身体の一部に縛着し、ガス供給孔１８から図５に示すガスボンベ１９の中のヘリウムガスを圧入して、バルーン３を立方体形に膨張し、その膨張に連動して全方向リフレクタ１を自動的に図１及び図２の形状に形成し、バルーン３の浮力によって図４の如く上昇させる。
【００１７】
この際、Ｖの風速が零に近いとき、即ち無風状態では、糸条６の長さをＬを１００ｍにした場合は、図４の左上側の実線３ａに示す如く、バルーン３の高さＨが糸条６の長さＬと等しい高さに上昇するが、その風速Ｖが増加するに従って、バルーン３は風速Ｖ方向に流され、図４の右側の中程に実線３ｂで示す如くバルーン３はその高さが低下して、高さＨｖになる。
【００１８】
この作用を同図でさらに述べると、風速Ｖが零のとき、糸条６に稜５の中心部の結合部７で結合されているバルーン３は、常時上向きに作用する浮力（ｆ）と糸条６に作用する張力（−ｆ）及び吹き流し８の重量ｗ８によって図４の左側の実線３ａで示す姿勢を保持する。この際、吹き流し８が図示の状態に垂下するのはいうまでもない。
【００１９】
風速Ｖが生ずると、バルーン３には、その方向に流す風速Ｖが作用すると共に、糸条６の方向に張力ｔが作用しているので、糸条６の結合部７は糸条６の長さＬを半径とする円弧６ｃ上に沿って下降し、遂には図４の右下方に鎖線２３ａで示す位置まで下降する。
【００２０】
しかし、この発明は上述のとおりの構成であるから、特に糸条６の先端の結合部７、筒状の吹き流し８の先端開口部、及び後端開口部１０を夫々略同一直線状に配置しているから、バルーン３の前面３１に衝突する風速Ｖはその上面３２と下面３３に沿う方向の風速Ｖ32と風速Ｖ33に分かれ、該上面３２に沿う風速Ｖ32は、バルーン３の後面３４を過ぎる際、その後面３４と吹流し８の上面との間に向かって渦３４ａを生じ、その部分に低気圧部Ｐ34を発生する。
【００２１】
また、その下面３３に沿って流れる風速Ｖ３３は、吹き流し８の先端開口部９からその中に流れ込み、吹き流し８の中を通って後端開口部１０から大気中に流出する。
【００２２】
この際、筒状の可撓性吹き流し８は、その中を通る風速Ｖ３３によって若干剛性をもった偏平な筒状の吹き流し８を形成するので、該吹き流し８の外側の下面８ａに沿って流れる大気圧Ｐａの風速Ｖは剛性の吹き流し８によって、前記低気圧部Ｐ３４に直接流れ込むことを遮られ、そのまま大気圧Ｐａのまま後端開口部１０の下面を通って後方に流れ去る。
【００２３】
従って、剛性の吹き流し８の下面８ａの大気圧Ｐａと低気圧部Ｐ３４の間にはその差圧Ｐａ−Ｐ３４が上向きに生じ、その差圧によって吹き流し８には上向きの上昇力ｆｕを生ずるので、これと一体のバルーン３ｂも同様の上昇力ｆｕを受ける。風速Ｖが高まるにつれてバルーン３ｂが円弧６ｃに沿って下降しようとする力が増加しても、上記上昇力ｆｕとバルーン３内のヘリウムガスによる浮力ｆの和によって、これに抗することができ、バルーン３の高さＨｖを所用の高さに保持することができる。
【００２４】
発明者が図１〜図４に示すものを用いて実験した結果によれば、風速１５ｍ／ｓｅｃのとき、糸条６の長さＬを１００ｍにし、バルーン３の稜５の長さを４５ｃｍ、その重さが８３ｇのとき、前記寸法で重さが１０ｇの吹き流し８をつけたときは、前記高さＨＶが３０ｍを維持することができた。
【００２５】
また、図示を省略するが、同装置において、吹き流し８をバルーン３から除して実験したところ、その高さＨＶは４ｍにまで低下した。
【００２６】
以上この発明を前述の実施形態について説明したが、この発明はその実施形態だけに限定されるものではなく、それ以外の実施形態で実施することも可能である。
【００２７】
例えば、前述のバルーン３を構成する材料はエチレン・ビニールアルコール共重合樹脂シートを用いる場合の実施形態について説明したが、そのエチレン・ビニールアルコール共重合樹脂シートの代わりに二軸延伸ポリビニールアルコールフィルム（ポブロン（登録商標））、或いはポリふっ化ビニールフィルム（テドラー（登録商標））を用いることも可能である。
【００２８】
また、前記バルーン３及び吹き流し８の寸法は前述の寸法に限定されるものではなく、各種用途に応じて適宜変更することができる。例えば、バルーン３の各稜５の長さを約９０ｃｍ、偏平な筒状の吹き流し８の長さを２００ｃｍ、先端９と後端１０の各開口部９ａと１０ａの径を３０ｃｍとすることも可能である。
【００２９】
【発明の効果】
本発明によれば、遭難現場における風速がかなりあっても、遠方の救助者側から放射する電波の反射を妨げるに至るまで、バルーン３が低下しないので、その位置を充分探し出すことができる。
【００３０】
特に、海上、山岳等のように極めて広範囲の区域における風速の大きいところで遭難事故が発生した場合でも、遠く離れたところからの位置を発見して救助に向かうことができ、人命救助に大きく貢献することが期待できる。
【００３１】
また、本発明の遭難位置表示装置は、バルーン３を折り畳んで、図５に示す如くヘリウムガスボンベ１９と共にライフジャケット２０のポケット２０ａ、２０ｂに予め入れておき、必要に応じてそのポケット２０ａ、２０ｂからそれらを取り出し、そのヘリウムガスボンベ１９のバルブ（図示してない）を開いてバルーン３のガス供給口１８からバルーン３内にヘリウムガスを供給して遭難位置を表示することができる。
【００３２】
さらに、本装置はその他にダイバー、ライフラクト、ライフボート、ジェットスキー、ウィンドサーフィン等にも常時備えておいて、非常の際にそれを使用することが可能である。
【図面の簡単な説明】
【図１】図１は、本発明の実施の形態を示す遭難位置表示装置の斜面図、
【図２】図２は、図１の内部の構造を示す斜面図、
【図３】図３は、図２の一部分の拡大断面図、
【図４】図４は、図１の装置の使用状態を説明するための側面図、
【図５】図５は、図１の表示装置の他の状態を示す正面図である。
【符号の説明】
１    全方向リフレクタ
３    可撓性バルーン
４    ヘリウムガス
５    稜
６    糸条
７    結合部
８    吹き流し
９    先端開口部
１０  後端開口部
Ｃ    中心線
Ｘ    反射板
Ｙ    反射板
Ｚ      反射板
Ｘａ    外周縁
Ｙａ  外周縁
Ｚａ  外周縁
【図１】
0003608160.tif 000002
【図２】
0003608160.tif 000003
【図３】
0003608160.tif 000004
【図４】
0003608160.tif 000005
【図５】
0003608160.tif 000006